(57)【特許請求の範囲】
【請求項１】
電気機器に電源を供給する配線（９），（１０）の途中であって屋外その他の被水環境に設置され、内部への水の浸入を防止する防水構造を備えて電源調節部（１４）を内蔵する密閉容器（１）の外壁に、上記電源調節部（１４）を調節操作する操作孔（１８）を有し、該操作孔（１８）を必要時に開蓋して不要時に密閉するねじ蓋（２１）と、該ねじ蓋（２１）の締付面と周壁の表面側との間に介挿される防水用のシール部材（２２）とを設けた機構において、上記シール部材（２２）が被水せず且つ直射日光に曝されないように操作孔（１８）の外周に前記シール部材（２２）とねじ蓋（２１）とを囲んで収容する筒状のカバー部（１９）を突設した電源調節装置の防水機構。
【請求項２】
カバー部（１９）の突出端である開口部を開蓋可能に且つ防水状態で密閉する防水キャップ（２３）を設けてなる請求項１に記載の電源調節装置の防水機構。
【請求項３】
密閉容器（１）を設置した状態でカバー部（１９）が外壁に対して側方又は下向きに突出するように設けられた請求項１又は２に記載の電源調節装置の防水機構。
【請求項４】
カバー部（１９）が密閉容器（１）の本体（２）の外壁に一体的に突出形成された請求項１〜３のいずれかに記載の電源調節装置の防水機構。
【請求項５】
防水キャップ（２３）をカバー部（１９）の外周に嵌合させて被せた請求項１〜４のいずれかに記載の電源調節装置の防水機構。
【請求項６】
防水キャップ（２３）が弾力性を備えたゴム又はプラスチック材よりなる請求項１〜５のいずれかに記載の電源調節装置の防水機構。
【請求項７】
密閉容器（１）を設置した状態でカバー部（１９）の上部を覆う庇部（６ａ）を密閉容器（１）の外壁表面より突出させて設けた請求項１〜６のいずれかに記載の電源調節装置の防水機構。
【発明の詳細な説明】
【技術分野】
【０００１】
この発明は例えば屋外のＬＥＤ照明の光量を調節するインバーター等の主として屋外設置型の電源調節装置の防水機構に関する。
【背景技術】
【０００２】
上記のように雨水や直射日光に曝され又は屋内であっても各種の栽培施設，飼育施設，遊戯施設等のように水滴が飛び交う被水環境に設置される電源調節装置は、蓋やカバーと本体との外壁部材の重ね合わせ面及びコードその他の配線挿通部に防水構造が施されている。
【０００３】
さらに外部からドライバー等を挿入して内部の調節ダイヤルを回動することによって電源の調節を行うための操作孔が設けられておりこの操作孔は通常ボルト等からなるねじ蓋によりＯリングやパッキンを介して防水構造で塞がれている。
【０００４】
これらの防水構造は車両用空調機のインバーターの電源調節操作孔の密閉構造として特許文献１等において公知である。
【先行技術文献】
【特許文献】
【０００５】
【特許文献１】特開２０１４−５１９０９号公報（図１符号１４〜１６参照）
【発明の概要】
【発明が解決しようとする課題】
【０００６】
しかし上記機構ではねじ蓋やＯリングやパッキン等のシール材が外部に露出しているために雨水その他の水分や日光，外気温の変化等により劣化し、内部に水分が浸入して装置自体が故障する欠点があり、特に装置の内外の温度差が激しい環境では浸水の危険が高い。また電源回路内の浸水は回路ショートによる破損や設置環境によっては火災の危険がある。
【課題を解決するための手段】
【０００７】
上記課題を解決するための本発明の防水機構は、第１に電気機器に電源を供給する配線９，１０の途中であって屋外その他の被水環境に設置され、内部への水の浸入を防止する防水構造を備えて電源調節部１４を内蔵する密閉容器１の外壁に、上記電源調節部１４を調節操作する操作孔１８を有し、該操作孔１８を必要時に開蓋して不要時に密閉するねじ蓋２１と、該ねじ蓋２１の締付面と周壁の表面側との間に介挿される防水用のシール部材２２とを設けた機構において、上記シール部材２２が被水せず且つ直射日光に曝されないように操作孔１８の外周に前記シール部材２２とねじ蓋２１とを囲んで収容する筒状のカバー部１９を突設したことを特徴としている。
【０００８】
第２に、カバー部１９の突出端である開口部を開蓋可能に且つ防水状態で密閉する防水キャップ２３を設けてなることを特徴としている。
【０００９】
第３に、密閉容器１を設置した状態でカバー部１９が外壁に対して側方又は下向きに突出するように設けられたことを特徴としている。
【００１０】
第４に、カバー部１９が密閉容器１の本体２の外壁に一体的に突出形成されたことを特徴としている。
【００１１】
第５に、防水キャップ２３をカバー部１９の外周に嵌合させて被せたことを特徴としている。
【００１２】
第６に、防水キャップ２３が弾力性を備えたゴム又はプラスチック材よりなることを特徴としている。
【００１３】
第７に、密閉容器１を設置した状態でカバー部１９の上部を覆う庇部６ａを密閉容器１の外壁表面より突出させて設けたことを特徴としている。
【発明の効果】
【００１４】
以上のように構成される本発明の装置によれば、密閉容器外壁表面に設けた操作孔のねじ蓋及びシール部材が、筒状のカバー部内に収容されて覆われるため、被水や直射日光に曝されないので、ねじ蓋とシール部材の劣化や錆が発生し難く、内部への防水効果の持続性が良くなる利点がある。
【００１５】
また上記カバー部が密閉容器の外壁に対して横向き又は下向きに突出し又は開口部を防水キャップで塞ぐことにより、上記効果はさらに確実になり、ねじ蓋やシール部材の耐久性も高くなる。これらの効果はカバー部を外壁と一体成形することにより一層高いものになる。
【図面の簡単な説明】
【００１６】
【図１】本発明の防水機構を備えた装置の全体斜視図である。
【図２】本発明の要部を示す拡大断面図である。
【発明を実施するための形態】
【００１７】
図面は本発明の１実施例を示し、図１は装置の全体構造を示す斜視図である。電源調節装置の容器１は例えばアルミダイキャスト等からなる箱状の本体２と、その上部をシール材又はパッキン等（図示しない）を介してビス止めされて密閉状態で塞ぐ蓋３とで外壁が構成される。
【００１８】
本体２の底部における長手方向の両端部（以下、左右端）には装置を外部構造等に取付けるための取付用のフランジ部４，５がそれぞれ突設され、この一対のフランジ部４，５の一方の中心部にはフック４ａが設けられ、他方には取付溝５ａが設けられている。本実施例では箱状容器１がフック４ａにより吊り下げられ又は水平面に沿って上記フック４ａ，取付溝５ａでボルト固定することを想定している。
【００１９】
また本体２の開口部周縁にはフランジ部６が外向きに突設されており、フランジ部６の上面に蓋３がパッキン等でシールされてビス７により着脱自在に取付けられる。８はフランジ部６の前後端に穿設されたビス孔で、フランジ部６の前後の各端部はビス止めに耐えるように肉厚になっている。言換えると、フランジ部６の左右寄り部分における前後方向中央部分は、薄肉部になる。
【００２０】
またフランジ部６の左右一方側の薄肉部（具体的には取付溝５ａに近い側、すなわち右側の薄肉部）には、さらに外側に突出する庇部６ａが延設されている。この庇部６ａは、後述するベントキャップ１６とカバー部１９を上部から覆うことにより、このベントキャップ１６やカバー部１９を直射日光やごみの付着、雨水等から保護している。
【００２１】
本体２の左右端には電源入出力用のコード（配線）９，１０がそれぞれ気密性や水密性を保つように挿入され、その挿入部外側には防水カバー１１が装着されている。この本体２の内部には、底部に沿って基板１２が設置され、この基板１２上にはインバーターその他の電源調節用の機器類（図示しない）と共に調節ダイヤル１３付の電源調節部１４が設置され、上記２つのコード９，１０がそれぞれ電気的に接続されている。
【００２２】
電源調整部１４は、本体２内における庇部６ａ寄りに配置されている。上記２つのコード９，１９の一方から供給された電力は、前記電源調整部１４の可変抵抗による電流、電圧調整や、交流電圧の変電によって、電圧や電流や周波数等の特性が調整された後、他方から出力され、ＬＥＤ照明等の電気機器に供給される。
【００２３】
すなわち、調整ダイヤル１３によるダイヤル操作によって、電気機器に供給される電力の電圧や電流や周波数が、電源調整部１４により調整される。これによって、もし電気機器がＬＥＤ照明の場合、明るさが調整される。なお、この基板１２上に電源の調整の他、交流から直流への変換や、直流から交流への変換を行ってもよい。
【００２４】
そして本体２の周壁における庇部６ａの下方部分からは、本体２の長手方向に沿って外側に突出する筒状のベントキャップ１６が取付けられている。このベントキャップ１６は、本体２の内外の空気のみの出入りを許容し、温度差による湿気や結露の発生を防止する。
【００２５】
またさらに本体２の周壁における庇部６ａの下方部分からは、図２に示すように、操作孔（ねじ孔）１８が設けられている。操作孔１８は、ベントキャップ１６よりも下方で、且つ平面視でベントキャップ１６とコード９との間に配置形成されている。この操作孔１８は、前記電源調節部１４の調節ダイヤル１３を外部からドライバー等の操作具１７により回動して調節するためにもうけられ、この操作孔１８の中心は、調整ダイヤル１３のダイヤル操作時の回転軸心Ｓ上に位置している。
【００２６】
本体２の周壁における操作孔１８の穿設部分には、上記回転軸Ｓを軸心とし且つ外側に突出する筒状に形成されたカバー部１９が一体又は別体（図示する例では一体）形成されている。この筒状のカバー部１９によって、外壁（周壁）表面の操作孔１８の回りを囲む位置が囲繞される。
【００２７】
さらに該カバー部１９内には上記操作孔１８を密閉して塞ぐためのねじ蓋２１が設けられている。ねじ蓋２１は、半球状のヘッド部２１ａと、操作孔１８の内周面に、ネジ係合した状態で、嵌合して挿入されるネジ部２１ｂとを有している。ちなみに、ネジ部２１ｂは、上記回転軸心Ｓを軸心とし、操作孔１８の内周面には、このネジ部２１ｂをネジ係合させるネジ１８ａが形成されている。
【００２８】
ヘッド部２１ｂの球面を外側に向けてネジ部２１ａを操作孔１８にネジ係合させて挿入して締付ける際に、ヘッド部２１ａと球面と反対側のフラットな面（締付面）と、本体２の周壁の外面（カバー部１９の内部底面）との間に、Ｏリング（又はパッキン）等からなるシール材２２が介挿され、これによって気密性及び水密性が保たれている。
【００２９】
上記カバー部１９はシール材２２とねじ蓋２１のヘッド部２１ａを収容する内径とこれらの外側を十分に覆う突出高さを有している。このカバー部１９の本体２から離れた端部は開放端になり、このカバー部１９の端部に形成された開口部は、弾力性を備えたゴム又はプラスチック材よりなる防水キャップ２３によって塞がれている。
【００３０】
この防水キャップ２３は、カバー部１９に外装され且つ本体２から離れた端部が閉塞される有底筒状に成形され、その内周側には、カバー部１９の外周が嵌合挿入される。なお、防水キャップ２３を金属等の硬質材料によって構成し、カバー部１９の外周と、防止キャップ２３の外周とにネジを形成し、両者をネジ係合させてもよい。
【００３１】
上記のように構成される防水構造において電源調節を行うには、先ずカバー部１９より防水キャップ２３を取外した後、操作具１７によりねじ蓋２１を取外し、操作孔１８より操作具１７を挿入して調節ダイヤル１３を回動操作する。操作完了後は操作前と逆順で操作孔１８とカバー部１９を閉塞密閉する。
【符号の説明】
【００３２】
１    密閉容器
２    容器本体
６ａ  庇部
１３  調節ダイヤル
１４  電源調節部
１７  操作具
１８  操作孔
１９  カバー部
２１  ねじ蓋
２２  シール部材
２３  防水キャップ
【要約】
【課題】配線中に設けた電源調節装置の操作孔の防水機能を長期に維持する。
【解決手段】この発明は、電気機器に電源を供給する配線９，１０の途中であって屋外その他の被水環境に設置され、内部への水の浸入を防止する防水構造を備えて電源調節部１４を内蔵する密閉容器１の外壁に、上記電源調節部１４を調節操作する操作孔１８を有し、該操作孔１８を必要時に開蓋して不要時に密閉するねじ蓋２１と、該ねじ蓋２１の締付面と周壁の表面側との間に介挿される防水用のシール部材２２とを設けた機構の改良に関する。
上記シール部材２２が被水せず且つ直射日光に曝されないように操作孔１８の外周に前記シール部材２２とねじ蓋２１とを囲んで収容する筒状のカバー部１９を突設している。
カバー部１９の突出端である開口部を開蓋可能に且つ防水状態で密閉する防水キャップ２３を設けた。
【選択図】図２【図１】
0005775961.tif 000002
【図２】
0005775961.tif 000003